【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
クライアント端末とファイル転送装置とがネットワークを介して接続されたファイル転送システムであって、
前記クライアント端末は、
撮像手段より画像を取得する取得手段と、
前記取得した画像に基づいて、ユーザー検出するユーザー検出手段と、
前記検出手段で検出したユーザー検出に係る検出情報を前記ファイル転送装置に送信する第一の送信手段と、
ファイルを送信する第二の送信手段とを有し、
前記ファイル転送装置は、
前記ユーザー検出に係る検出情報を記憶する記憶手段と、
前記記憶手段で記憶されたユーザー検出に係る検出情報が前記クライアント端末より受信した前記ユーザー検出に係る検出情報によって変更された場合、前記クライアント端末から送信されたファイルを転送先クライアント端末に転送する転送手段とを有することを特徴とするファイル転送システム。
【請求項２】
前記クライアント端末から受信した前記ユーザー検出に係る検出情報は、前記ファイルの転送先クライアント端末における在席に係る情報であることを特徴とする請求項１記載のファイル転送システム。
【請求項３】
前記ファイル転送装置は、前記記憶手段で記憶されたユーザー検出に係る検出情報が不在に係る検出情報であった場合、前記ファイルを保持することを特徴とする請求項１又は２記載のファイル転送システム。
【請求項４】
前記ユーザー検出手段は、前記撮像手段からの画像の差分情報に基づいて検出することを特徴とする請求項１乃至３のいずれか１項に記載のファイル転送システム。
【請求項５】
前記転送手段は、前記ファイルの転送先クライアント端末に前記ファイルの書誌情報を送信後に前記ファイル転送することを特徴とする請求項１乃至４のいずれか１項に記載のファイル転送システム。
【請求項６】
クライアント端末とファイル転送装置とがネットワークを介して接続されたファイル転送システムであって、
前記クライアント端末は、
撮像手段より画像を取得する取得手段と、
前記取得した画像に基づいて、ユーザー検出するユーザー検出手段と、
前記ユーザー検出手段で検出したユーザー検出に係る検出情報を前記ファイル転送装置に送信する第一の送信手段と、
前記ファイル転送装置にファイルの転送要求するファイル転送要求手段と、
前記ファイル転送要求に基づき、ファイル転送先クライアント端末のアドレス情報を取得する取得手段と、
前記ファイルの転送先クライアント端末のアドレス情報に基づきファイルを送信する第二の送信手段とを有し、
前記ファイル転送装置は、
前記ユーザー検出に係る検出情報を記憶する記憶手段と、
前記クライアント端末より前記ファイルの転送要求を受信する受信手段と、
前記受信手段で受信した前記ファイルの転送要求に対応する前記ファイルの転送先クライアント端末の前記ユーザー検出に係る検出情報が在席に係る情報である場合、前記ファイルの転送先クライアント端末のアドレス情報を送信する第三の送信手段とを有することを特徴とするファイル転送システム。
【請求項７】
前記撮像手段より画像を取得し、取得した画像に基づいてユーザー検出するユーザー検出可能なクライアント端末と通信可能なファイル転送装置であって、
前記クライアント端末で検出したユーザー検出に係る検出情報を取得する取得手段と、
前記ユーザー検出に係る検出情報を記憶する記憶手段と、
前記記憶手段で記憶された前記ユーザー検出に係る検出情報を変更する変更手段と、
前記変更手段で前記ユーザー検出に係る検出情報が変更された場合、前記クライアント端末から送信されたファイルを転送先クライアント端末に転送する転送手段とを有することを特徴とするファイル転送装置。
【請求項８】
前記変更手段で変更された前記ユーザー検出に係る検出情報は、前記ファイルの転送先クライアント端末における在席に係る情報であることを特徴とする請求項７記載のファイル転送装置。
【請求項９】
前記転送手段は、前記記憶手段で記憶された前記ユーザー検出に係る検出情報が不在に係る情報であった場合、前記ファイルを保持することを特徴とする請求項７又は８記載のファイル転送装置。
【請求項１０】
前記転送手段は、
前記転送先クライアント端末にファイルの転送確認要求を送信する送信手段と、
前記送信手段で転送確認要求に対応する情報を前記転送先クライアント端末から受信する受信手段とをさらに有し、
前記受信手段で受信した前記情報に基づきファイルの転送をすることを特徴とする請求項７乃至９のいずれか１項に記載のファイル転送装置。
【請求項１１】
撮像装置より画像を取得し、取得した画像に基づいてユーザー検出するユーザー検出可能なクライアント端末と通信可能なファイル転送装置のファイル転送方法であって、
前記クライアント端末で検出したユーザー検出に係る検出情報を取得する取得ステップと、
前記ユーザー検出に係る検出情報を記憶する記憶ステップと、
前記記憶ステップで記憶された前記ユーザー検出に係る検出情報を変更する変更ステップと、
前記変更ステップで前記ユーザー検出に係る検出情報が変更された場合、前記クライアント端末から送信されたファイルを転送先クライアント端末に転送する転送ステップとを有することを特徴とするファイル転送方法。
【請求項１２】
請求項１１記載のファイル転送方法の各ステップをコンピュータに実行させるためのプログラム。
【手続補正２】
【補正対象書類名】明細書
【補正対象項目名】発明の名称
【補正方法】変更
【補正の内容】
【発明の名称】ファイル転送システム、ファイル転送装置、ファイル転送方法及びプログラム
【手続補正３】
【補正対象書類名】明細書
【補正対象項目名】０００１
【補正方法】変更
【補正の内容】
【０００１】
本発明は、ファイル転送システム、ファイル転送装置、ファイル転送方法及びプログラムに関する。
【手続補正４】
【補正対象書類名】明細書
【補正対象項目名】０００９
【補正方法】変更
【補正の内容】
【０００９】
本発明のファイル転送システムは、クライアント端末とファイル転送装置とがネットワークを介して接続されたファイル転送システムであって、前記クライアント端末は、撮像手段より画像を取得する取得手段と、前記取得した画像に基づいて、ユーザー検出するユーザー検出手段と、前記検出手段で検出したユーザー検出に係る検出情報を前記ファイル転送装置に送信する第一の送信手段と、ファイルを送信する第二の送信手段とを有し、前記ファイル転送装置は、前記ユーザー検出に係る検出情報を記憶する記憶手段と、前記記憶手段で記憶されたユーザー検出に係る検出情報が前記クライアント端末より受信した前記ユーザー検出に係る検出情報によって変更された場合、前記クライアント端末から送信されたファイルを転送先クライアント端末に転送する転送手段とを有することを特徴とする。
また、本発明のファイル転送システムは、クライアント端末とファイル転送装置とがネットワークを介して接続されたファイル転送システムであって、前記クライアント端末は、撮像手段より画像を取得する取得手段と、前記取得した画像に基づいて、ユーザー検出するユーザー検出手段と、前記ユーザー検出手段で検出したユーザー検出に係る検出情報を前記ファイル転送装置に送信する第一の送信手段と、前記ファイル転送装置にファイルの転送要求するファイル転送要求手段と、前記ファイル転送要求に基づき、ファイル転送先クライアント端末のアドレス情報を取得する取得手段と、前記ファイルの転送先クライアント端末のアドレス情報に基づきファイルを送信する第二の送信手段とを有し、前記ファイル転送装置は、前記ユーザー検出に係る検出情報を記憶する記憶手段と、前記クライアント端末より前記ファイルの転送要求を受信する受信手段と、前記受信手段で受信した前記ファイルの転送要求に対応する前記ファイルの転送先クライアント端末の前記ユーザー検出に係る検出情報が在席に係る情報である場合、前記ファイルの転送先クライアント端末のアドレス情報を送信する第三の送信手段とを有することを特徴とする。
また、本発明のファイル転送装置は、前記撮像手段より画像を取得し、取得した画像に基づいてユーザー検出するユーザー検出可能なクライアント端末と通信可能なファイル転送装置であって、前記クライアント端末で検出したユーザー検出に係る検出情報を取得する取得手段と、前記ユーザー検出に係る検出情報を記憶する記憶手段と、前記記憶手段で記憶された前記ユーザー検出に係る検出情報を変更する変更手段と、前記変更手段で前記ユーザー検出に係る検出情報が変更された場合、前記クライアント端末から送信されたファイルを転送先クライアント端末に転送する転送手段とを有することを特徴とする。
また、本発明のファイル転送方法は、撮像装置より画像を取得し、取得した画像に基づいてユーザー検出するユーザー検出可能なクライアント端末と通信可能なファイル転送装置のファイル転送方法であって、前記クライアント端末で検出したユーザー検出に係る検出情報を取得する取得ステップと、前記ユーザー検出に係る検出情報を記憶する記憶ステップと、前記記憶ステップで記憶された前記ユーザー検出に係る検出情報を変更する変更ステップと、前記変更ステップで前記ユーザー検出に係る検出情報が変更された場合、前記クライアント端末から送信されたファイルを転送先クライアント端末に転送する転送ステップとを有することを特徴とする。
【手続補正５】
【補正対象書類名】明細書
【補正対象項目名】００１０
【補正方法】変更
【補正の内容】
【００１０】
ファイル転送時に転送先クライアント端末のユーザーが不在の場合でも、そのユーザーが在席に対応して、ファイルを転送することができ、ファイル転送の即時性を向上させることができる。